(57)【要約】【課題】男性用失禁パッドを取り出しやすい男性用失禁パッド包装体を提供する。【解決手段】男性用失禁パッド１が被覆シート２１，２２で覆われた男性用失禁パッド包装体３１であって、男性用失禁パッド１は、長手方向ｙの一方側の端部の外面側が第１被覆シート２１で覆われ、他方側の端部の外面側が第２被覆シート２２で覆われており、第１被覆シート２１と第２被覆シート２２で覆われた状態で、肌面側が内側となるように長手方向ｙに延びる第１折り目２３で折り返され、さらに幅方向ｘに延びる第２折り目２４で折り返されて、第１被覆シート２１と第２被覆シート２２が互いに接合されており、男性用失禁パッド１には、第１被覆シート２１または第２被覆シート２２と剥離可能に接合された粘着部７が設けられ、男性用失禁パッド１の第２折り目２４が、第１被覆シート２１と第２被覆シート２２に覆われずに露出している。【選択図】図５
2013236682.tif 000002
【特許請求の範囲】
【請求項１】
男性用失禁パッドが被覆シートで覆われた男性用失禁パッド包装体であって、
前記男性用失禁パッドは、長手方向と幅方向を有するとともに肌面側と外面側を有し、長手方向の一方側の端部の外面側が第１被覆シートで覆われ、他方側の端部の外面側が第２被覆シートで覆われており、
前記男性用失禁パッドは、前記第１被覆シートと前記第２被覆シートで覆われた状態で、肌面側が内側となるように長手方向に延びる第１折り目で折り返され、さらに幅方向に延びる第２折り目で折り返されて、前記第１被覆シートと前記第２被覆シートが互いに接合されており、
前記男性用失禁パッドには、前記第１被覆シートまたは前記第２被覆シートと剥離可能に接合された粘着部が設けられ、
前記男性用失禁パッドの前記第２折り目が、前記第１被覆シートと前記第２被覆シートに覆われずに露出していることを特徴とする男性用失禁パッド包装体。
【請求項２】
前記男性用失禁パッドは、長手方向に折り畳まれることにより山折りと谷折りが形成されたプリーツ部を有するアウター部材を有し、
前記粘着部が、前記アウター部材の前記プリーツ部よりも長手方向の外方に設けられている請求項１に記載の男性用失禁パッド包装体。
【請求項３】
前記第１被覆シートおよび／または前記第２被覆シートは、前記第２折り目側の端縁から内側に折り返されて延在する折り返し部を有し、前記粘着部が前記折り返し部と剥離可能に接合されている請求項１または２に記載の男性用失禁パッド包装体。
【請求項４】
前記粘着部は、前記第１折り目を挟んだ両側に設けられ、前記第１折り目には設けられない請求項１〜３のいずれか一項に記載の男性用失禁パッド包装体。
【請求項５】
前記粘着部は、前記第１被覆シートおよび前記第２被覆シートの前記第２折り目側の端縁から１ｍｍ以上離れて設けられる請求項３または４に記載の男性用失禁パッド包装体。
【請求項６】
前記男性用失禁パッドは、アウター部材の肌面側に吸収体が備えられ、
前記吸収体は、長手方向の端縁近傍が前記第１折り目の両側で互いに接合されている請求項１〜５のいずれか一項に記載の男性用失禁パッド包装体。
【請求項７】
前記男性用失禁パッドは、アウター部材の肌面側に吸収体が備えられ、
前記吸収体は、長手方向の端縁に前記第１折り目を跨いで切欠きが形成されている請求項１〜６のいずれか一項に記載の男性用失禁パッド包装体。
【発明の詳細な説明】
【技術分野】
【０００１】
本発明は、男性用失禁パッドが被覆シートに覆われた男性用失禁パッド包装体に関するものである。
【背景技術】
【０００２】
従来、男性器に宛がって用いられる男性用の失禁パッドが知られている。例えば特許文献１には、一の方向に沿って形成された少なくとも２本の折り曲げ線によって襞状に折り畳まれた男性用失禁パッドが開示され、この男性用失禁パッドは、使用時には折り畳み状態を解除して肌面側に凹状の空間が形成できるようになっている。さらに特許文献１には、当該男性用失禁パッドを包装袋に包装した男性用失禁パッド包装体も開示されている。
【先行技術文献】
【特許文献】
【０００３】
【特許文献１】特開２０１０−１７２６５０号公報
【発明の概要】
【発明が解決しようとする課題】
【０００４】
男性用失禁パッドはまだ広く普及しておらず、一般の男性にとって、男性用失禁パッドを装着する際の作業は馴染みのあるものではない。例えば、男性用失禁パッドを装着するには、男性用失禁パッドを男性用失禁パッド包装体から取り出して、パンツの内側に取り付ける作業が発生することが想定され、男性用失禁パッドの使用者にとって、これらの一連の作業を簡単かつ確実に行えることが望まれる。本発明は前記事情に鑑みてなされたものであり、その目的は、男性用失禁パッドを取り出しやすい男性用失禁パッド包装体を提供することにある。
【課題を解決するための手段】
【０００５】
前記課題を解決することができた本発明の男性用失禁パッド包装体とは、男性用失禁パッドが被覆シートで覆われた男性用失禁パッド包装体であって；男性用失禁パッドは、長手方向と幅方向を有するとともに肌面側と外面側を有し、長手方向の一方側の端部の外面側が第１被覆シートで覆われ、他方側の端部の外面側が第２被覆シートで覆われており；男性用失禁パッドは、第１被覆シートと第２被覆シートで覆われた状態で、肌面側が内側となるように長手方向に延びる第１折り目で折り返され、さらに幅方向に延びる第２折り目で折り返されて、第１被覆シートと第２被覆シートが互いに接合されており；男性用失禁パッドには、第１被覆シートまたは第２被覆シートと剥離可能に接合された粘着部が設けられ；男性用失禁パッドの第２折り目が、第１被覆シートと第２被覆シートに覆われずに露出しているところに特徴を有する。
【０００６】
本発明の男性用失禁パッド包装体は、男性用失禁パッドが第１折り目と第２折り目で４つ折りされた状態で、男性用失禁パッドの第２折り目が第１および第２被覆シートで覆われずに露出しているため、男性用失禁パッドの第２折り目の近傍を一方の手で掴み、他方の手で第１被覆シートと第２被覆シートを掴み、男性用失禁パッド包装体を長手方向に引っ張ることで、男性用失禁パッド包装体から男性用失禁パッドを簡単に取り出すことができる。また、男性用失禁パッドの第２折り目の近傍を第１および第２被覆シートを介さずに直接掴むことができるため、被覆シートにより男性用失禁パッド全体が包まれている場合と比べて、男性用失禁パッド包装体から男性用失禁パッドを取り出す際に男性用失禁パッドを誤って手から落としにくく、取り扱いが容易となる。
【０００７】
男性用失禁パッドは、長手方向に折り畳まれることにより山折りと谷折りが形成されたプリーツ部を有するアウター部材を有していることが好ましく、粘着部が、アウター部材のプリーツ部よりも長手方向の外方に設けられていることが好ましい。男性用失禁パッドがプリーツ部を有するアウター部材を有していれば、プリーツ部を展開することにより男性用失禁パッドをカップ状に形成して、男性用失禁パッドが男性器を好適に収容できるようになる。そして、粘着部がアウター部材のプリーツ部よりも長手方向の外方に設けられることにより、男性用失禁パッドを男性用失禁パッド包装体から取り出す際にプリーツを自然に展開することができるようになる。
【０００８】
第１被覆シートおよび／または第２被覆シートは、第２折り目側の端縁から内側に折り返されて延在する折り返し部を有し、男性用失禁パッドの粘着部が折り返し部と剥離可能に接合されていることが好ましい。このように第１被覆シートおよび／または第２被覆シートが形成されていれば、第１被覆シートおよび／または第２被覆シートを男性用失禁パッドの粘着部から剥がしやすくなる。
【０００９】
男性用失禁パッドの粘着部は、第１折り目を挟んだ両側に設けられ、第１折り目には設けられないことが好ましい。このように粘着部が設けられていれば、第１および第２被覆シートを男性用失禁パッドの粘着部から剥がしやすくなる。
【００１０】
さらに、第１および第２被覆シートを粘着部からより剥がしやすくするためには、粘着部が第１被覆シートおよび第２被覆シートの第２折り目側の端縁から１ｍｍ以上離れて設けられることが好ましい。
【００１１】
男性用失禁パッドは、アウター部材の肌面側に吸収体が備えられ、吸収体が内側になるように第１折り目で折り返され、吸収体は、長手方向の端縁近傍が第１折り目の両側で接合されていることが好ましい。このように吸収体が形成されていれば、男性用失禁パッドを使用する際、吸収体がカップ状（船底状）に形成されて、吸収体の男性器へのフィット性を高めやすくなる。
【００１２】
男性用失禁パッドは、アウター部材の肌面側に吸収体が備えられ、吸収体が内側になるように第１折り目で折り返され、吸収体は、長手方向の端縁に第１折り目を跨いで切欠きが形成されていることが好ましい。吸収体に第１折り目を跨いで切欠きが形成されていれば、第１折り目を利用して吸収体をカップ状に形成しやすくなり、吸収体の男性器へのフィット性を高めることができる。
【発明の効果】
【００１３】
本発明の男性用失禁パッド包装体は、男性用失禁パッドが４つ折りされた状態で、男性用失禁パッドの一部が被覆シートで覆われずに露出しているため、男性用失禁パッド包装体から男性用失禁パッドを簡単に取り出すことができる。また、露出した男性用失禁パッドの一部を直接掴むことができるため、男性用失禁パッド包装体から男性用失禁パッドを取り出す際に男性用失禁パッドを誤って手から落としにくくなり、取り扱いが容易となる。
【図面の簡単な説明】
【００１４】
【図１】本発明の男性用失禁パッド包装体に用いられる男性用失禁パッドの一例を表し、男性用失禁パッドを外面側から見た平面図を表す。
【図２】図１に示した男性用失禁パッドを肌面側から見た平面図を表す。
【図３】図１に示した男性用失禁パッドのＡ−Ａ断面図を表す。
【図４】図１に示した男性用失禁パッドをカップ状に形成し、外面側から見た斜視図を表す。
【図５】男性用失禁パッド包装体の形成方法の一例を表す。
【図６】図５（ｃ）に示した男性用失禁パッド包装体の長手方向断面の一部を表す図である。
【図７】図５（ｃ）に示した男性用失禁パッド包装体の長手方向断面の一部の変形例を表す図である。
【図８】図８（ａ）は男性用失禁パッド包装体から男性用失禁パッドを取り出す方法を表し、図８（ｂ）は男性用失禁パッド包装体から男性用失禁パッドを取り出した際に男性用失禁パッドのプリーツ部が展開される様子を表す。
【発明を実施するための形態】
【００１５】
本発明の男性用失禁パッド包装体は、男性用失禁パッドが被覆シートで覆われたものである。男性用失禁パッドは男性器に宛がって用いられ、男性用失禁パッドを装着することにより失禁による尿漏れを防ぐことができる。
【００１６】
男性用失禁パッドは、使用前は平面状に形成され、使用の際はカップ状に形成可能であるものが好ましい。このような男性用失禁パッドであれば、使用前は男性用失禁パッドがコンパクトに形成され保管や携帯が容易となり、使用の際は、男性器を好適に収容でき、失禁による尿を好適に受けることができるようになる。
【００１７】
男性用失禁パッドは、例えば、平面状のシート部材どうしの一部を弧状に接合することにより形成されたり、平面状のシート部材にプリーツを設けることにより形成される。前者の場合、シート部材どうしを非接合部分で広げることで、シート部材の非接合部分の端縁がカップ形状の開口縁となるように、カップ状に形成することができる。後者の場合、プリーツの折り畳みを展開することで、カップ状に形成することができる。また、男性用失禁パッドは、カップ状に形成されたシート部材を適宜折り畳んで、平面状に形成できるものであってもよい。なお、以下に詳述するように、本発明で用いられる男性用失禁パッドはプリーツを有していることが好ましく、また、男性用失禁パッドを男性用失禁パッド包装体から取り出す際にプリーツが自然に展開されるように構成されていることが好ましい。
【００１８】
以下には、プリーツを有する男性用失禁パッドの構成例について、図面を参照して説明する。なお本発明で使用される男性用失禁パッドは、図面に示された実施態様に限定されるものではない。
【００１９】
図１〜図４には、本発明の男性用失禁パッドの一例を示す。図１は男性用失禁パッドを外面側から見た平面図を表し、図２は図１に示した男性用失禁パッドを肌面側から見た平面図を表し、図３は図１のＡ−Ａ断面図を表し、図４はカップ状に形成した男性用失禁パッドを外面側から見た斜視図を表す。なお、本発明の図面では、矢印ｘが幅方向、矢印ｙが長手方向を表し、矢印ｘ，ｙにより形成される面に対して垂直方向が厚み方向ｚを表す。
【００２０】
男性用失禁パッド１は、長手方向ｙと幅方向ｘを有する。男性用失禁パッド１は、男性用失禁パッドを着用する際、長手方向ｙを着用者の股間の前後方向（上下方向）に合わせ、幅方向ｘを着用者の左右方向に合わせて着用することが好ましい。
【００２１】
男性用失禁パッド１はまた、厚み方向ｚに対して、肌面側と外面側を有する。肌面側とは、男性用失禁パッドを着用する際に着用者の肌に向く側を意味し、外面側とは、着用者とは反対に向く側を意味する。
【００２２】
男性用失禁パッド１は、構成部材として少なくともアウター部材２を有する。アウター部材２は男性用失禁パッド１の本体を構成し、男性用失禁パッド１の使用の際に、男性器がアウター部材２により収容される。
【００２３】
アウター部材は、親水性であっても液不透過性であってもよい。アウター部材は、１つの層から構成されていてもよく、複数の層から構成されていてもよい。例えば、アウター部材は肌面側に親水性層を有していてもよく、この場合、アウター部材の親水性層によって着用者から排泄された尿が吸収されるようになる。また、アウター部材は外面側に液不透過層を有していてもよく、この場合、アウター部材の液不透過層によって尿が外部に漏れるのが防止される。アウター部材は、吸収性材料を含有していてもよい。好ましくは、アウター部材は、肌面側に親水性層を有し外面側に液不透過層を有する積層体であるか、液不透過層のみから構成される。少なくとも後者の場合は、アウター部材の肌面側に尿を吸収するための吸収体が設けられることが好ましい。図１〜図４では、アウター部材２の肌面側に吸収体１０が設けられている。
【００２４】
アウター部材２は、長手方向ｙに折り畳まれることにより山折り４と谷折り５が形成されたプリーツ部３を有していることが好ましい。男性用失禁パッド１は、使用前は、図１や図２に示すようにアウター部材２が平面状に形成される。すなわち、アウター部材２のプリーツ部３が折り畳まれた状態に形成される。使用時には、男性用失禁パッド１は、図４に示すようにアウター部材２のプリーツ部３を展開して、アウター部材２をカップ状に形成して用いることが好ましい。つまり、男性用失禁パッド１は、使用の際、カップ形状の内部に男性器を収容して着用することが好ましい。なお、カップ形状とは一方側に膨らんだ形状を意味し、例えば、カップ形状の開口が同一平面に形成される必要はない。
【００２５】
アウター部材２のプリーツ部３は、幅方向ｘの両端が固定されていることが好ましい。具体的には、アウター部材２は、幅方向ｘの両端で、山折り４を挟んだ両側および谷折り５を挟んだ両側が接合されていることが好ましい。このようにプリーツ部３が形成されていれば、プリーツ部３の折り畳みを展開すると、図４に示されるように、アウター部材２をカップ状に形成しやすくなる。プリーツ部３の幅方向ｘの両端は、接着剤、熱融着、超音波融着等の公知の接合手段により固定（接合）されればよい。
【００２６】
本発明において、山折り４と谷折り５はアウター部材２の外面側から見て定められるものとする。また、プリーツ部３とは、図１や図２に示すようにアウター部材２が平面状に形成された状態で、アウター部材２のうち、折り畳まれて重ねられた部分の山折り４から谷折り５に至る部分およびそれと重なる部分を意味する。
【００２７】
図１では、プリーツ部３が長手方向ｙの両側に２つずつ設けられている。各プリーツ部３は、アウター部材２が長手方向ｙに折り畳まれて形成される。この際、各プリーツ部３は、少なくとも１つずつ形成された山折り４と谷折り５で折られることにより形成される。
【００２８】
山折り４と谷折り５は、長手方向ｙに並んで配される限りその延在方向は特に限定されないが、好ましくは、山折り４と谷折り５は幅方向ｘに対し略平行に形成される。また、山折り４と谷折り５は互いに同じ数だけ形成されることが好ましく、山折り４と谷折り５がそれぞれ複数形成される場合は、山折り４と谷折り５は交互に形成されることが好ましい。
【００２９】
アウター部材２が、男性器を好適に収容できるようなカップ状に形成されるためには、図１に示すように、アウター部材２の長手方向ｙの両側に、プリーツ部３が各々設けられていることが好ましい。このようにプリーツ部３が設けられることにより、陰茎と陰嚢の両方を好適に収容しやすくなる。
【００３０】
各プリーツ部３は、長手方向ｙの中心側にまず山折り４が設けられるように形成されることが好ましい。具体的には、プリーツ部３を展開した状態で、各プリーツ部３には、長手方向ｙの中心側にまず山折り４が形成されることが好ましい。図１では、長手方向ｙの中心側にまず山折り４が設けられ、次いで、長手方向ｙの外方に谷折り５が設けられている。このようにプリーツ部３が形成されていれば、男性用失禁パッド１を男性器を収容してパンツの内側に固定した際、パンツの外側から見てプリーツ部３の折り目が分かりにくくなり、男性用失禁パッド１を装着することの心理的負荷が低減する。
【００３１】
男性用失禁パッド１の外面側には、粘着部７が設けられている。図１では、アウター部材２の外面側に、粘着部７が設けられている。粘着部７は、男性用失禁パッド１の長手方向ｙの両側にそれぞれ設けられている。男性用失禁パッド１に粘着部７が設けられていれば、男性用失禁パッド１を着用者のパンツの内側に好適に固定できるようになる。なお粘着部７は、後述するように、男性用失禁パッド１の使用前は、すなわち男性用失禁パッド包装体の状態では、第１または第２被覆シートと剥離可能に接合されている。粘着部７は、アウター部材２に粘着剤が塗布されたり、粘着テープが貼り付けられることにより形成されればよい。好ましくは粘着部７は、図１に示すように、プリーツ部３よりも長手方向ｙの外方に設けられ、詳細には、後述する第２折り目と粘着部７の間にプリーツ部３が位置するように粘着部７が設けられる。
【００３２】
アウター部材２の形状（プリーツ部３が折り畳まれた状態での形状）は特に限定されない。アウター部材２の形状は、図１や図２に示すように角の丸まった四角形の形状であってもよく、また円形、楕円形、任意の多角形（角の丸まった多角形を含む）等であってもよい。なお、図１や図２に示すように、アウター部材２が長手方向ｙの外方に向かって幅方向ｘの長さが漸減するように形成されていれば、男性用失禁パッド１が着用者の股間でコンパクトに収まりやすくなる。また、アウター部材２は幅方向ｘに（すなわち、長手方向ｙに延びる中心線に対し）線対称に形成されることが好ましく、さらに、アウター部材２は長手方向ｙに（すなわち、幅方向ｘに延びる中心線に対し）線対称に形成されることも好ましい。
【００３３】
アウター部材を構成する材料としては、不織布、織布、編布、プラスチックフィルム、およびこれらの積層体等を使用できる。アウター部材の材料として不織布、織布、編布等の布材料を用いる場合、布材料を構成する繊維としては、例えば、ポリオレフィン（例えば、ポリプロピレン、ポリエチレン）、ポリエステル（例えば、ＰＥＴ）、ポリアミド（例えば、ナイロン）等の合成繊維、レーヨン等の再生繊維、セルロース、コットン等の天然繊維を用いればよい。アウター部材の材料として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。アウター部材の材料としてプラスチックフィルムを用いる場合は、例えば、ポリオレフィン（例えば、ポリプロピレン、ポリエチレン）、ポリエステル（例えば、ＰＥＴ）、ポリアミド（例えば、ナイロン）等の合成樹脂を用いればよい。
【００３４】
アウター部材は水解性であってもよい。水解性とは、水洗トイレ等で水に流した際に分散あるいは溶解してその原形が失われる性質を意味する。従って、アウター部材が水解性であれば、アウター部材を通常の水洗トイレ等に流して廃棄することが可能となる。
【００３５】
アウター部材が水解性を有するためには、アウター部材が水解性材料から構成されていることが好ましい。水解性材料としては、木材パルプ繊維、非木材系植物繊維、レーヨン繊維、ポリエステル繊維等の合成繊維等が挙げられる。さらに水解性材料に、澱粉、ポリアクリル酸水溶液、ポリエチレンオキサイド、アルキルセルロース、ヒドロキシアルキルセルロース等の水溶性バインダーが加えられていてもよい。
【００３６】
アウター部材は生分解性であってもよい。生分解性とは、微生物等の生物によって分解可能であることを意味する。アウター部材が生分解性であれば、アウター部材を水洗トイレに流して廃棄した際、下水処理場等で活性汚泥処理等が施されて、アウター部材が好適に二酸化炭素や汚泥等に分解され得る。
【００３７】
男性用失禁パッド１は、図１〜図４に示すように、アウター部材２の肌面側に吸収体１０が備えられることが好ましい。男性用失禁パッド１に吸収体１０が備えられていれば、着用者から排泄された尿を好適に吸収することができる。吸収体１０は、男性用失禁パッド１の使用の際にアウター部材２がカップ状に形成されると、図４に示すように、カップ状に形成されたアウター部材２の内側に収められることが好ましい。
【００３８】
図１〜図３では、吸収体１０はアウター部材２に固定部６で固定されている。つまり、吸収体１０は、男性用失禁パッド１の使用前からアウター部材２に固定されている。吸収体１０は、接着剤等の固定手段によりアウター部材２に固定されればよい。
【００３９】
固定部６はプリーツ部３以外の場所に設けられることが好ましい。従って、吸収体１０は、アウター部材２のプリーツ部３以外の部分に固定され、プリーツ部３には固定されていないことが好ましい。さらに、吸収体１０は、プリーツ部３を跨いでアウター部材２に固定されていないことが好ましい。このように吸収体１０がアウター部材２に設けられていれば、男性用失禁パッド１の着用の際、プリーツ部３の折り畳みを展開しやすくなる。
【００４０】
固定部６は、アウター部材２の長手方向ｙの中心付近に設けられることが好ましい。また、アウター部材２には、固定部６の長手方向ｙの両側にプリーツ部３が各々設けられていることが好ましい。このように男性用失禁パッド１が形成されていれば、アウター部材２のプリーツ部３の折り畳みを展開することにより、男性用失禁パッド１を、吸収体１０が内側に収められたカップ状に形成しやすくなる。
【００４１】
なお、図には示されていないが、吸収体１０は、アウター部材２に固定されていなくてもよい。例えば、男性用失禁パッド１の使用前、すなわち男性用失禁パッド１が被覆シートで覆われた男性用失禁パッド包装体では、吸収体１０はアウター部材２に固定されずに単に重ねられていてもよい。また、吸収体１０がアウター部材２に対して着脱可能に形成されていてもよい。
【００４２】
吸収体１０の形状は特に限定されない。吸収体１０の形状は、例えば、円形、楕円形、多角形（角の丸まった多角形を含む）、砂時計形等が挙げられる。好ましくは、吸収体１０は幅方向ｘに（すなわち、長手方向ｙに延びる中心線に対し）線対称に形成される。さらに、吸収体１０は、長手方向ｙに（すなわち、幅方向ｘに延びる中心線に対し）線対称に形成されることも好ましい。
【００４３】
吸収体１０は、アウター部材２に対し、次のように形成されていることが好ましい。すなわち、吸収体１０は、アウター部材２のプリーツ部３が折り畳まれた状態で、長手方向ｙに対しアウター部材２と同じかそれよりも長く形成され、アウター部材２のプリーツ部３が展開した状態で、長手方向ｙに対しアウター部材２よりも短く形成されていることが好ましい。なお、プリーツ部３が折り畳まれた状態とは、プリーツ部３が複数ある場合は、全てのプリーツ部が折り畳まれた状態を意味し、プリーツ部３が展開した状態とは、全てのプリーツ部が展開した状態を意味する。プリーツ部３が展開した状態でのアウター部材２の長手方向ｙの長さは、プリーツ部３の幅方向ｘの両端の接合を解いた状態で測定する。吸収体１０がアウター部材２に対しこのような関係で形成されていれば、カップ状に形成されたアウター部材２の内側に吸収体１０が好適に保持されやすくなる。また、吸収体１０の大きさが十分確保され、吸収体１０により着用者から排泄された尿が好適に吸収されるようになる。なお、吸収体１０は、幅方向ｘに対しては、アウター部材２と同じかそれよりも短く形成されていることが好ましい。
【００４４】
吸収体１０には、図２に示されるように、長手方向ｙの端縁に切欠き１１が形成されていることが好ましい。より好ましくは、切欠き１１は、吸収体１０の長手方向ｙの両端縁に形成される。吸収体１０の長手方向ｙの端縁に切欠き１１が形成されていれば、吸収体１０をカップ状に形成しやすくなる。すなわち、吸収体１０を幅方向ｘに折り曲げることで、カップ状に形成されたアウター部材２の肌側面に沿うように吸収体１０を形成することが容易となる。そのため、吸収体１０がアウター部材２の内側に好適に収められるようになる。
【００４５】
切欠き１１の形状としては、切欠き１１は略Ｖ字状に形成されていることが好ましい。すなわち、切欠き１１は、吸収体１０の長手方向ｙの端縁から内方に向かって幅方向ｘの長さが漸減するように形成されていることが好ましい。
【００４６】
吸収体１０には、幅方向ｘの端縁に切欠き１２が形成されていることも好ましい。より好ましくは、切欠き１２は、吸収体１０の幅方向ｘの両端縁に形成される。吸収体１０の幅方向ｘの端縁に切欠き１２が形成されていれば、吸収体１０を長手方向ｙに折り曲げやすくなる。従って、吸収体１０の男性器へのフィットが向上し、男性器が吸収体１０によって好適に覆われるようになる。その結果、着用者から排泄された尿を吸収体１０がより確実に受けることができるようになる。
【００４７】
切欠き１２の形状としては、切欠き１２は略Ｖ字状に形成されていることが好ましい。すなわち、切欠き１２は、吸収体１０の幅方向ｘの端縁から内方に向かって長手方向ｙの長さが漸減するように形成されていることが好ましい。
【００４８】
吸収体は、尿を吸収できる材料から構成されていればよい。吸収体としては、例えば、（ｉ）吸収性材料をシート部材で覆ったもの、（ｉｉ）シート状の吸収性材料を所望形状に形成したもの、等を用いることができる。吸収性材料としては、前記（ｉ）の場合、例えば、粉砕したパルプ繊維、セルロース繊維等の親水性繊維；ポリアクリル酸系、ポリアスパラギン酸系、セルロース系、デンプン・アクリロニトリル系等の吸水性樹脂等を用いることができ、前記（ｉｉ）の場合、例えば、発泡ポリマー；ケミカルボンド不織布、エアレイド不織布、エアスルー不織布、スパンレース不織布等の液保持性の高い不織布等を用いることができる。前記（ｉ）の場合、シート部材の少なくとも一部は液透過性であり、液透過性のシート部材としては、紙（例えば、ティッシュペーパーや薄葉紙）や親水性不織布等を用いることができる。液透過性のシート部材は吸収体の肌面側に設けられ、吸収体の外面側にも設けられてもよい。また、吸収体の外面側には、液不透過性不織布やプラスチックフィルム等の液不透過性のシート部材が設けられてもよい。前記（ｉｉ）の場合も、シート状の吸収性材料がシート部材により覆われてもよい。
【００４９】
吸収体は、不織布間に吸水性樹脂を有しパルプ繊維を有しないシート状吸収体を有していてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。
【００５０】
シート状吸収体に用いられる不織布は液透過性であり、そのような不織布としては、例えば、セルロース、レーヨン、コットン等の親水性繊維；ポリオレフィン（例えば、ポリプロピレン、ポリエチレン）、ポリエステル（例えば、ＰＥＴ）、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、エアレイド不織布、またはＳＭＳ不織布を用いることが好ましい。
【００５１】
次に、男性用失禁パッド包装体について、図５および図６を参照して説明する。図５（ａ）〜（ｃ）は、男性用失禁パッド包装体の形成方法の例を表し、図６は、図５（ｃ）に示した男性用失禁パッド包装体の長手方向断面の一部を表し、男性用失禁パッドと第１被覆シートとの接合状態を表す。
【００５２】
男性用失禁パッド包装体３１は、図５（ａ）〜（ｃ）に示す方法により形成される。すなわち、男性用失禁パッド１は長手方向ｙの一方側の端部の外面側が第１被覆シート２１で覆われ、他方側の端部の外面側が第２被覆シート２２で覆われており、第１被覆シート２１と第２被覆シート２２で覆われた状態で、肌面側が内側となるように長手方向ｙに延びる第１折り目２３で折り返され（図５（ａ）参照）、さらに幅方向ｘに延びる第２折り目２４で折り返され（図５（ｂ）参照）、これにより男性用失禁パッド包装体３１が形成される（図５（ｃ）参照）。つまり男性用失禁パッド包装体３１は、男性用失禁パッド１が４つ折りされた状態で、男性用失禁パッド１の長手方向ｙの端部が第１および第２被覆シート２１，２２で覆われて形成される。男性用失禁パッド包装体３１では、第１被覆シート２１と第２被覆シート２２は、男性用失禁パッド１が４つ折りされた状態で互いに接合されており、これにより男性用失禁パッド１は使用前、４つ折りされた状態が維持されるようになる。
【００５３】
第１被覆シート２１は、男性用失禁パッド１の外面側の少なくとも長手方向ｙの一方側の端縁を覆い、男性用失禁パッド１の長手方向ｙの一方側の端縁から第２折り目２４に至る領域の一部または全部を覆っている。ただし、第１被覆シート２１は第２折り目２４を越えて設けられない。第２被覆シート２２は、男性用失禁パッド１の外面側の少なくとも長手方向ｙの他方側の端縁を覆い、男性用失禁パッド１の長手方向ｙの他方側の端縁から第２折り目２４に至る領域の一部または全部を覆っている。ただし、第２被覆シート２２は第２折り目２４を越えて設けられない。従って、男性用失禁パッド包装体３１は、第２折り目２４が第１被覆シート２１と第２被覆シート２２に覆われずに露出している。
【００５４】
男性用失禁パッド包装体３１は、男性用失禁パッド１が４つ折りされた状態で、男性用失禁パッド１の第２折り目２４が第１および第２被覆シート２１，２２で覆われずに露出しているため、男性用失禁パッド１の第２折り目２４の近傍を一方の手で掴み、他方の手で第１被覆シート２１と第２被覆シート２２を掴み、男性用失禁パッド包装体３１を長手方向ｙに引っ張ることで、男性用失禁パッド包装体３１から男性用失禁パッド１を簡単に取り出すことができる。この際、第２折り目２４の内側に指をかけるようにして男性用失禁パッド１を一方の手で掴むことにより、男性用失禁パッド包装体３１を長手方向ｙに引っ張って男性用失禁パッド１から第１および第２被覆シート２１，２２を容易に剥がすことができる。また、男性用失禁パッド包装体３１から男性用失禁パッド１を取り出す際、一方の手で男性用失禁パッド１の第２折り目２４の近傍を第１または第２被覆シート２１，２２を介さずに直接掴むことができるため、被覆シートにより男性用失禁パッド１全体が包まれている場合と比べて、男性用失禁パッド包装体３１から男性用失禁パッド１を取り出す際に男性用失禁パッド１を誤って手から落とすことも起こりにくい。
【００５５】
男性用失禁パッド包装体３１では、男性用失禁パッド１は、第１折り目２３で肌面側が内側になるように折り返されている。このように男性用失禁パッド１が第１折り目２３で折り返されることにより、男性用失禁パッド１を使用する際に、第１折り目２３を利用して男性用失禁パッド１を肌面側を内側にしたカップ形状に形成しやすくなる。
【００５６】
第１折り目２３は、男性用失禁パッド１の幅方向ｘの中心線と一致することが好ましい。このように第１折り目２３が設けられていれば、折り畳んだ男性用失禁パッド１がコンパクトになる。また、男性用失禁パッド１を使用する際は、第１折り目２３に基づいて男性用失禁パッド１の幅方向ｘの中心を容易に認識することができ、男性用失禁パッド１を適切に装着しやすくなる。
【００５７】
第２折り目２４は、男性用失禁パッド１の長手方向ｙの中心線と一致することが好ましい。このように第２折り目２４が設けられていれば、折り畳んだ男性用失禁パッド１がコンパクトになる。また、男性用失禁パッド１の長手方向ｙの一方側と他方側の両方の端部を一体に扱いやすくなり、男性用失禁パッド１を男性用失禁パッド包装体３１から取り出しやすくなる。
【００５８】
第１被覆シート２１と第２被覆シート２２はそれぞれ、男性用失禁パッド１の外面側に、第１折り目２３を挟んだ両側を覆うように設けられることが好ましい。より好ましくは、第１被覆シート２１と第２被覆シート２２は、男性用失禁パッド１の長手方向ｙの端部で、男性用失禁パッド１よりも幅方向ｘに幅広に設けられる。また、第１被覆シート２１と第２被覆シート２２は、男性用失禁パッド１の長手方向ｙの端縁から長手方向ｙの外方に延在していることが好ましい。
【００５９】
男性用失禁パッド包装体３１は、第１折り目２３で折り返された第１被覆シート２１どうしまたは第２被覆シート２２どうしが、幅方向ｘの端部および／または長手方向ｙの端部で接合されていることが好ましい。このように第１被覆シート２１と第２被覆シート２２が形成されていれば、男性用失禁パッド包装体３１の状態で、男性用失禁パッド１の長手方向ｙの端部が第１および第２被覆シート２１，２２から露出しにくくなり、男性用失禁パッド包装体３１の取り扱い性が向上する。
【００６０】
男性用失禁パッド包装体３１は、男性用失禁パッド１が第１被覆シート２１と第２被覆シート２２で覆われて４つ折りされた状態で、第１被覆シート２１と第２被覆シート２２が互いに接合されていることが好ましい。このように第１被覆シート２１と第２被覆シート２２が互いに接合されることにより、男性用失禁パッド１の使用前、男性用失禁パッド１が被覆シートで覆われた状態で４つ折りに折り畳まれた状態を維持しやすくなる。
【００６１】
第１被覆シート２１と第２被覆シート２２が互いに接合される箇所は特に限定されないが、第１被覆シート２１と第２被覆シート２２は長手方向ｙの端部で接合することが好ましく、具体的には、第２折り目２４と長手方向ｙに対して反対側に位置する端縁２６から１５ｍｍ以内（より好ましくは１０ｍｍ以内）で接合されることが好ましい。また、第１被覆シート２１と第２被覆シート２２は、男性用失禁パッド１の長手方向ｙの端縁よりも長手方向ｙの外方の部分で接合することが好ましい。このように第１被覆シート２１と第２被覆シート２２が接合されていれば、男性用失禁パッド包装体３１から男性用失禁パッド１を取り出す際、第１被覆シート２１と第２被覆シート２２を一体に扱いやすくなる。第１被覆シート２１と第２被覆シート２２はまた、幅方向ｘの端部で互いに接合してもよい。
【００６２】
図５（ｃ）では、第１折り目２３で折り返された第１被覆シート２１どうし、第１折り目２３で折り返された第２被覆シート２２どうし、男性用失禁パッド１が第２折り目２４で折り返されることにより対面した第１被覆シート２１と第２被覆シート２２とが、長手方向ｙの端部と幅方向ｘの端部のシール部２５でそれぞれ接合している。第１または第２被覆シート２１，２２どうしの接合、あるいは、第１被覆シート２１と第２被覆シート２２との接合は、公知の接合手段により行えばよい。接合手段としては、例えば、接着剤、熱融着、超音波融着等が挙げられる。
【００６３】
男性用失禁パッド包装体３１は、第１被覆シート２１と第２被覆シート２２がそれぞれ、男性用失禁パッド１に設けられた粘着部７と剥離可能に接合している。第１被覆シート２１は男性用失禁パッド１の第２折り目２４を挟んだ一方側に設けられ、第２被覆シート２２は男性用失禁パッド１の第２折り目２４を挟んだ他方側に設けられているため、男性用失禁パッド１には粘着部７が第２折り目２４を挟んだ一方側と他方側のそれぞれに設けられている。従って、男性用失禁パッド１の粘着部７は、第１被覆シート２１または第２被覆シート２２と剥離可能に接合されている。なお、粘着部７は第２折り目２４には設けられないことが好ましい。第１および第２被覆シート２１，２２が粘着部７で男性用失禁パッド１と剥離可能に接合されることにより、男性用失禁パッド１が第１および第２被覆シート２１，２２から抜け落ちにくくなり、男性用失禁パッド１の使用前、男性用失禁パッド１が第１および第２被覆シート２１，２２で覆われた状態を維持しやすくなる。
【００６４】
第１および第２被覆シート２１，２２は男性用失禁パッド１の粘着部７と剥離可能であればよく、例えば、プラスチックフィルムから構成されたり、男性用失禁パッドと面する側がプラスチックフィルムから構成される積層体から構成されることが好ましい。後者の場合、被覆シートはプラスチックフィルムに紙や布材料（不織布、織布、編布等）等が積層された積層体が挙げられる。また、第１および第２被覆シート２１，２２は、粘着部７と接合する部分を粘着部７と剥離可能な材料で構成し、その他の部分を紙や布材料（不織布、織布、編布等）等の粘着部７と剥離不能な材料で構成してもよく、粘着部７と接合する部分にシリコーン加工を施したりして粘着部７との剥離性を高めてもよい。
【００６５】
粘着部７は、少なくとも第１または第２被覆シート２１，２２の第２折り目２４側の端縁２７から３０ｍｍ以内の領域（より好ましくは２５ｍｍ以内の領域であり、さらに好ましくは２０ｍｍ以内の領域）に設けられることが好ましい。このように粘着部７が設けられれば、第１および第２被覆シート２１，２２の第２折り目２４側の端縁２７がめくれにくくなり、男性用失禁パッド包装体３１の取り扱い性が向上する。
【００６６】
粘着部７は、男性用失禁パッド１の第１折り目２３を挟んだ両側に設けられることが好ましい。このとき第１および第２被覆シート２１，２２は、男性用失禁パッド１の外面側に第１折り目２３を挟んだ両側を覆うように設けられる。男性用失禁パッド１の第１折り目２３を挟んだ両側に粘着部７が設けられれば、男性用失禁パッド１を装着する際、男性用失禁パッド１をパンツの内側に好適に固定できるようになる。
【００６７】
しかしながら、粘着部７は、男性用失禁パッド１の第１折り目２３には設けられないことが好ましい。粘着部７は、男性用失禁パッド１の装着の際、男性用失禁パッド１がパンツの内側に確実に固定されるようにするために、ある程度の接合力を有することが望まれ、粘着部７はある程度広範な面積で男性用失禁パッド１に設けられることが好ましい。一方、粘着部７の接合力が高くなると、男性用失禁パッド１から第１および第２被覆シート２１，２２を剥がしにくくなり、男性用失禁パッド包装体３１の取り扱い性が低下する。しかし、粘着部７が第１折り目２３に設けられていなければ、男性用失禁パッド包装体３１から男性用失禁パッド１を取り出す際、第１および第２被覆シート２１，２２を第１折り目２３に近い側から長手方向ｙに引っ張ることにより、第１折り目２３の粘着部７が設けられない部分を起点に第１および第２被覆シート２１，２２を粘着部７から剥がしやすくなり、男性用失禁パッド１を男性用失禁パッド包装体３１から取り出しやすくなる。また、粘着部７を第１折り目２３に設けずにそれ以外の部分に設けることで、粘着部７の面積を確保して、粘着部７の接合力を確保することも可能となる。粘着部７は、具体的には、第１折り目２３から２ｍｍ以内の領域（より好ましくは５ｍｍ以内の領域であり、さらに好ましくは８ｍｍ以内の領域）には設けられないことが好ましい。すなわち、粘着部７は、第１折り目２３から２ｍｍ以上（より好ましくは５ｍｍ以上であり、さらに好ましくは８ｍｍ以上）離れて設けられることが好ましい。
【００６８】
粘着部７が男性用失禁パッド１の第１折り目２３に設けられない場合、粘着部７は、第１または第２被覆シート２１，２２の第２折り目２４側の端縁２７の近傍に設けられないことが好ましい。具体的には、粘着部７は、第１または第２被覆シート２１，２２の第２折り目２４側の端縁２７から１ｍｍ以上（より好ましくは２ｍｍ以上であり、さらに好ましくは３ｍｍ以上）離れて設けられることが好ましい。すなわち、粘着部７は、第１および第２被覆シート２１，２２の第２折り目２４側の端縁２７から１ｍｍ以内の領域（より好ましくは２ｍｍ以内の領域であり、さらに好ましくは３ｍｍ以内の領域）には設けられないことが好ましい。このように粘着部７が設けられていれば、男性用失禁パッド包装体３１から男性用失禁パッド１を取り出す際、第１および第２被覆シート２１，２２を第１折り目２３に近い側から長手方向ｙに引っ張ることにより、第２折り目２４側の端縁２７の近傍であって第１折り目２３の近傍の粘着部７が設けられない部分を起点に、第１および第２被覆シート２１，２２を男性用失禁パッド１の粘着部７から剥がしやすくなる。
【００６９】
男性用失禁パッド包装体３１から男性用失禁パッド１を取り出す際に第１および第２被覆シート２１，２２を男性用失禁パッド１の粘着部７から剥がしやすくするために、図７に示すように、第１および第２被覆シート２１，２２は、第２折り目２４側の端縁２７から内側に折り返されて延在する折り返し部２８を有し、粘着部７が折り返し部２８と剥離可能に接合していることも好ましい。図７には、図５（ｃ）に示した男性用失禁パッド包装体３１の長手方向の断面の変形例が示され、折り返し部２８は、第１および第２被覆シート２１，２２を男性用失禁パッド１から剥がす際、第２折り目２４側の端縁２７での折り返しが展開可能に形成されている。
【００７０】
例えば、第１および第２被覆シート２１，２２が図６に示すように男性用失禁パッド１の粘着部７と接合している場合は、男性用失禁パッド包装体３１を長手方向ｙに引っ張ると、第１および第２被覆シート２１，２２と男性用失禁パッド１との間には剪断力が働く。一方、図７に示すように第１および第２被覆シート２１，２２が折り返し部２８で男性用失禁パッド１の粘着部７と接合している場合は、男性用失禁パッド包装体３１を長手方向ｙに引っ張ると、第１および第２被覆シート２１，２２と男性用失禁パッド１との間には剥離力が働く。このとき、第１および第２被覆シート２１，２２を男性用失禁パッド１から剥がす力の大きさとしては、剪断力の方が剥離力よりも大きい力を要することとなる。従って、図７に示すように、第１および第２被覆シート２１，２２に折り返し部２８が形成され、折り返し部２８が男性用失禁パッド１の粘着部７と剥離可能に接合されていれば、第１および第２被覆シート２１，２２を男性用失禁パッド１の粘着部７から剥がしやすくなる。また、粘着部７の接合力を確保しやすくなり、男性用失禁パッド１を着用者のパンツの内側に確実に固定させることが容易になる。
【００７１】
折り返し部２８を含む第１および第２被覆シート２１，２２は、１つのシート部材から形成されていてもよく、２つ以上のシート部材を繋ぎ合わせて形成されていてもよい。例えば、第１および第２被覆シート２１，２２は、折り返し部２８の剥離性を高めるために、折り返し部２８がそれ以外の部分とは別の部材や材料で構成されていてもよい。もちろん、第１および第２被覆シート２１，２２が折り返し部２８を有しない場合であっても、第１および第２被覆シート２１，２２は１つのシート部材から形成されていてもよく、２つ以上のシート部材を繋ぎ合わせて形成されていてもよい。
【００７２】
第１被覆シート２１の折り返し部２８の長手方向ｙの長さは、第１被覆シート２１全体（折り返し部２８が折り返された状態）の長手方向ｙの長さより短いことが好ましく、第２被覆シート２２の折り返し部２８の長手方向ｙの長さは、第２被覆シート２２全体（折り返し部２８が折り返された状態）の長手方向ｙの長さより短いことが好ましい。
【００７３】
折り返し部２８は、第１被覆シート２１と第２被覆シート２２の両方に形成されることが好ましいが、どちらか一方のみに形成されるものでもよい。
【００７４】
粘着部７が折り返し部２８に剥離可能に接合している場合、粘着部７は、第１および第２被覆シート２１，２２の第２折り目２４側の端縁２７の近傍に設けられないことが好ましい。具体的には、粘着部７は、第１および第２被覆シート２１，２２の第２折り目２４側の端縁２７から１ｍｍ以上（より好ましくは２ｍｍ以上であり、さらに好ましくは３ｍｍ以上）離れて設けられることが好ましい。すなわち、粘着部７は、第１および第２被覆シート２１，２２の第２折り目２４側の端縁２７から１ｍｍ以内の領域（より好ましくは２ｍｍ以内の領域であり、さらに好ましくは３ｍｍ以内の領域）には設けられないことが好ましい。このように粘着部７が設けられていれば、第１および第２被覆シート２１，２２の折り返し部２８を男性用失禁パッド１の粘着部７から動的に剥離しやすくなり、第１および第２被覆シート２１，２２を男性用失禁パッド１の粘着部７から剥がしやすくなる。
【００７５】
本発明の男性用失禁パッド包装体３１では、男性用失禁パッド１のアウター部材２がプリーツ部３を有していると、図８に示すように、男性用失禁パッド包装体３１から男性用失禁パッド１を取り出す際に、プリーツ部３も同時に展開させることが可能となる。従って、男性用失禁パッド１を装着する際、プリーツ部３が展開されてカップ状に形成することが容易となる。
【００７６】
アウター部材２がプリーツ部３を有する場合、粘着部７はプリーツ部３よりも長手方向ｙの外方に設けられることが好ましい。すなわち、プリーツ部３が粘着部７と第２折り目２４の間に位置するように、粘着部７が設けられることが好ましい。この場合、第１および第２被覆シート２１，２２を長手方向ｙに引っ張って男性用失禁パッド１の粘着部７から剥がすと、男性用失禁パッド１の長手方向ｙの端部、すなわち男性用失禁パッド１のプリーツ部３よりも長手方向ｙの外方部分が、被覆シートとともに長手方向ｙに引っ張られて、プリーツ部３が自然に展開されやすくなる。
【００７７】
プリーツ部３の展開操作を容易にするために、アウター部材２には、第２折り目２４の両側にプリーツ部３が各々設けられていることが好ましい。このようにプリーツ部３が設けられていれば、被覆シートを長手方向ｙに引っ張った際に、男性用失禁パッド１の第２折り目２４を挟んだ両側がともに長手方向ｙに延びて、プリーツ部３を展開することが容易になる。
【００７８】
男性用失禁パッド包装体３１には、男性用失禁パッド１から第１および第２被覆シート２１，２２を剥がす際に使用者がつまむ部分が、目印として示されていることが好ましい（図示せず）。目印は、第１および第２被覆シート２１，２２に設けたり、男性用失禁パッド１に設ければよい。
【００７９】
本発明の男性用失禁パッド包装体３１は、男性用失禁パッド１の第２折り目２４の近傍を一方の手で掴み、他方の手で第１被覆シート２１と第２被覆シート２２を掴み、男性用失禁パッド包装体３１を長手方向ｙに引っ張ることで、男性用失禁パッド包装体３１から男性用失禁パッド１を取り出すことができるが、目印は第１被覆シート２１および／または第２被覆シート２２に設けられることが好ましく、第１被覆シート２１および／または第２被覆シート２２の男性用失禁パッド１の長手方向ｙの端縁より外方の部分に目印が設けられることがより好ましい。このように第１被覆シート２１および／または第２被覆シート２２に目印が設けられていれば、目印の部分をつまんで男性用失禁パッド包装体３１を長手方向ｙに引っ張ることで、男性用失禁パッド１から第１および第２被覆シート２１，２２を容易に剥がすことができるようになる。目印は、第１および第２被覆シート２１，２２の目印以外の部分と異なる色で示されていればよい。あるいは、目印となる部分の手触りを他の部分と変える等して、目印を設けてもよい。
【００８０】
本発明の男性用失禁パッド包装体３１は、男性用失禁パッド１に吸収体１０が備えられていても備えられていなくてもよいが、男性用失禁パッド１に吸収体１０が備えられる場合は、吸収体１０は下記のように形成されることが好ましい。
【００８１】
吸収体１０はアウター部材２の肌面側に備えられ、男性用失禁パッド１を第１折り目２３で折り返す際は、図５に示されるように、吸収体１０が内側になるように折り返されることが好ましい。そして、第１折り目２３で折り返された吸収体１０は、長手方向ｙの端縁近傍が第１折り目２３の両側で接合されていることが好ましい。図５では、接合部１３で、吸収体１０の長手方向ｙの端縁近傍が第１折り目２３の両側で接合されている。このように吸収体１０が形成されていれば、男性用失禁パッド１を男性用失禁パッド包装体３１から取り出して、男性用失禁パッド１の第１折り目２３と第２折り目２４を展開した際、吸収体１０がカップ状（船底状）に形成されて、吸収体１０の男性器へのフィット性を高めやすくなる。
【００８２】
吸収体１０の長手方向ｙの端縁近傍が第１折り目２３の両側で接合される場合、吸収体１０は肌面側で互いに接合される。また、長手方向ｙの端縁から２０ｍｍ以内の領域（好ましくは１５ｍｍ以内の領域）で吸収体１０どうしが接合されることが好ましい。さらに、第１折り目２３から１５ｍｍ以内の領域（好ましくは１０ｍｍ以内の領域）で吸収体１０どうしが接合されることが好ましい。吸収体１０どうしの接合は、接着剤や熱融着等の接合手段により行えばよい。
【００８３】
吸収体１０の長手方向ｙの端縁に切欠き１１が形成される場合は、第１折り目２３を跨いで切欠き１１が形成されることが好ましい。第１折り目２３を跨いで切欠き１１が形成されていれば、第１折り目２３を利用して吸収体１０をカップ状に形成しやすくなり、吸収体１０の男性器へのフィット性を高めることができる。
【符号の説明】
【００８４】
１：  男性用失禁パッド
２：  アウター部材
３：  プリーツ部
４：  山折り
５：  谷折り
７：  粘着部
１０：  吸収体
１１，１２：  切欠き
２１：  第１被覆シート
２２：  第２被覆シート
２３：  第１折り目
２４：  第２折り目
２８：  折り返し部
３１：  男性用失禁パッド包装体
【図１】
2013236682.tif 000003
【図２】
2013236682.tif 000004
【図３】
2013236682.tif 000005
【図４】
2013236682.tif 000006
【図５】
2013236682.tif 000007
【図６】
2013236682.tif 000008
【図７】
2013236682.tif 000009
【図８】
2013236682.tif 000010